(57)【特許請求の範囲】
【請求項１】
吐水口が設けられ、かつ断面が真円と異なる形状の筒状に形成されているとともに、ベースに取り付けられる吐水管と、
前記吐水管の基端に挿入される侵入部と、侵入部に連なりかつ前記吐水管の外に露出する円筒状の固定部と、を有する接続金具と、
前記固定部を内側に通す通し孔が設けられ、かつ前記通し孔に前記固定部を通して前記基端の端面に接触するとともに、前記ベース上に設けられる台座と、を備え、
前記侵入部の固定部側の端面が前記吐水管の前記基端の端面と同一面上又は前記基端の端面よりも前記吐水管の奥に位置し、
前記侵入部の外縁と前記基端の端面との間、又は、前記侵入部の外縁と前記吐水管の内面との間が溶接されて、前記接続金具が前記吐水管の基端に取り付けられていることを特徴とする、
吐水装置。
【請求項２】
前記侵入部の外形と前記吐水管の前記基端の内形とが同形状に形成されて、
前記侵入部が前記吐水管の基端に挿入されると、前記侵入部の外周面と前記吐水管の前記基端の内周面とが互いに当接することを特徴とする、
請求項１に記載の吐水装置。
【請求項３】
前記固定部には、前記基端の端面に当接可能な当接部が設けられていることを特徴とする、
請求項１又は請求項２に記載の吐水装置。
【請求項４】
前記固定部の外周には、雄ねじが形成されており、
前記固定部の雄ねじに螺合して、前記固定部に取り付けられて、前記台座を前記基端の  端面との間で挟んで固定する取付部材と、を備えることを特徴とする、
請求項１乃至請求項３のうちいずれかに記載の吐水装置。
【発明の詳細な説明】
【技術分野】
【０００１】
本発明は、断面が真円とは異なる形状の筒状に形成されているとともに、カウンタ等のベースに取り付けられる吐水管を備えた吐水装置に関する。
【背景技術】
【０００２】
従来から、吐水装置として、洗面台のカウンタなどのベースに取り付けられる吐水管を備えた吐水装置（例えば、特許文献１参照）が用いられている。この特許文献１に示された吐水装置では、前記吐水管が、金属で構成されかつ筒状に形成されているとともに吐水口が設けられている。吐水装置は、前記吐水管をベースに取り付けるための接続金具を備えている。
【０００３】
接続金具は、金属で構成されている。接続金具は、ベース上に設けられる環状の台座と、台座から立設して吐水管の基端内に侵入する筒状の起立部と、台座から起立部とは逆向きに突出しかつベースに設けられた孔内に侵入するとともに外周面にねじ溝が設けられた筒状の挿通管部とを一体に備えている。接続金具は、起立部が吐水管の基端内に侵入して、吐水管の基端の外周面と台座の表面とに亘って溶接されて、吐水管に取り付けられる。
【０００４】
吐水装置は、ベースの上面と台座との間に挿通管部を内側に通した円環状のパッキンが設けられ、挿通管部を内側に通した円環状の三角パッキンがベースの下面に当接し、ナットが挿通管部にねじ込まれて、パッキンと三角パッキンとの間にベースを挟みこんで、ベースに吐水管が取り付けられる。また、吐水装置は、接続金具の挿通筒部に接続部材を介して、給水チューブが取り付けられることで、上水道からの水を吐水口まで導く。
【先行技術文献】
【特許文献】
【０００５】
【特許文献１】特開２０１１−１４４５８８号公報
【発明の概要】
【発明が解決しようとする課題】
【０００６】
ところで、特許文献１に記載されている吐水装置は、基端の外周面と台座の表面との間が溶接されて、吐水管に接続金具を取り付けている。このため、溶接によって生じるビードが、基端の外周面と台座の表面とに亘って形成されて、外側に露出して美観を損ねていた。
【０００７】
本発明は、上記の事情に鑑みてなされたものであって、美観を損ねることを抑制して、吐水管をベースに取り付けることができる吐水装置を提供することを目的とする。
【課題を解決するための手段】
【０００８】
上記目的を達成するために、本発明に係る吐水装置は、吐水口が設けられ、かつ断面が真円と異なる形状の筒状に形成されているとともに、ベースに取り付けられる吐水管と、前記吐水管の基端に挿入される侵入部と、侵入部に連なりかつ前記吐水管の外に露出する円筒状の固定部と、を有する接続金具と、前記固定部を内側に通す通し孔が設けられ、かつ前記通し孔に前記固定部を通して前記基端の端面に接触するとともに、前記ベース上に設けられる台座と、を備え、前記侵入部の固定部側の端面が前記吐水管の端面と同一面上又は前記基端の端面よりも前記吐水管の奥に位置し、前記侵入部の外縁と前記基端の端面との間、又は、前記侵入部の外縁と前記吐水管の内面との間が溶接されて、前記接続金具が前記吐水管の基端に取り付けられていることを特徴とする。
【０００９】
前記吐水装置では、接続金具の吐水管の基端に侵入する侵入部の外縁と、吐水管の基端の端面との間、又は、侵入部の外縁と吐水管の内面との間が溶接されて、吐水管に接続金具を取り付けているために、吐水管の基端をベースに取り付けると、溶接によって生じるビードが、ベースと侵入部との間に位置することとなる。このために、吐水管をベースに取り付けると、前述したビードが外部に露出しなくなり、美観を損ねることを抑制できる。また、侵入部の固定側の端面が端面よりも吐水管の奥に位置して、侵入部の外縁と吐水管の内面との間が溶接されている場合には、溶接によって生じるビードが吐水管内に位置することとなる。この場合、吐水管とベースとの間に隙間を生じ難くして、吐水管をベースに取り付けることができる。よって、吐水装置の美観を損ねることを確実に抑制できる。
【００１０】
前記吐水装置では、前記侵入部の外形と前記吐水管の前記基端の内形とが同形状に形成されて、前記侵入部が前記吐水管の基端に挿入されると、前記侵入部の外周面と前記吐水管の前記基端の内周面とが互いに当接することが好ましい。この吐水装置では、侵入部の外形と吐水管の基端の内形とが同形状に形成されて、これらの外内周面が互いに当接するので、接続金具を吐水管に確実に固定することができる。
【００１１】
また、前記吐水装置では、前記固定部には、前記基端の端面に当接可能な当接部が設けられていることが好ましい。この吐水装置では、吐水管の基端に接続金具の侵入部を挿入すると、固定部に設けられた当接部が、基端の端面に当接して、吐水管と接続金具とを位置決めすることができる。したがって、吐水管の基端に接続金具を溶接し易くすることができる。
【００１２】
さらに、前記吐水装置では、前記固定部の外周には、雄ねじが形成されており、前記固定部の雄ねじに螺合して、前記固定部に取り付けられて、前記台座を前記基端の端面との間で挟んで固定する取付部材と、を備えることが好ましい。この吐水装置では、ベース上に設けられる台座を基端の端面との間で挟んで固定する取付部材を備えているので、吐水装置の美観を整える台座を吐水管とベースとの間に設ける際に、吐水管をベースに取り付ける前に、予め、吐水管に台座を取り付けておくことができる。よって、吐水管をベースに容易に取り付けることができる。
【００１３】
また、台座と取付部材とを別体で構成するので、取付部材を接続金具の固定部に取り付ける際に、取付部材の取り付ける動作により台座と吐水管とが強制的に相対的に移動して、台座の表面に吐水管の基端の端面が摺れることを防止できる。したがって、台座の表面が傷つくことを抑制でき、美観を損ねることをより確実に抑制することができる。
【発明の効果】
【００１４】
本発明に係る吐水装置は、接続金具の吐水管の基端内に挿入される侵入部の外縁と基端の端面との間を溶接して、吐水管に接続金具を取り付けるので、溶接によって生じるビードを露出させなくなるので、美観を損ねることを抑制することができる。
【図面の簡単な説明】
【００１５】
【図１】図１は、実施形態に係る吐水装置を示す斜視図である。
【図２】図２は、図１中のＩＩ−ＩＩ線に沿う断面図である。
【図３】図３は、実施形態に係る吐水装置を分解して示す斜視図である。
【図４】図４は、実施形態に係る吐水装置の構成を示すブロック図である。
【図５】図５は、実施形態に係る吐水装置の吐水管に取付部材が取り付けられた状態を示す斜視図である。
【図６】図６は、図５中のＶＩ−ＶＩ線に沿う断面図である。
【図７】図７は、実施形態に係る吐水装置の接続金具の斜視図である。
【図８】図８は、図７中のＶＩＩＩ−ＶＩＩＩ線に沿う断面図である。
【図９】図９は、実施形態に係る吐水装置の接続金具の側面図である。
【発明を実施するための形態】
【００１６】
以下に、本発明に係る吐水装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１７】
図１は、実施形態に係る吐水装置を示す斜視図、図２は、図１中のＩＩ−ＩＩ線に沿う断面図、図３は、実施形態に係る吐水装置を分解して示す斜視図、図４は、実施形態に係る吐水装置の構成を示すブロック図、図５は、実施形態に係る吐水装置の吐水管に取付部材が取り付けられた状態を示す斜視図、図６は、図５中のＶＩ−ＶＩ線に沿う断面図、図７は、実施形態に係る吐水装置の接続金具の斜視図、図８は、図７中のＶＩＩＩ−ＶＩＩＩ線に沿う断面図、図９は、実施形態に係る吐水装置の接続金具の側面図である。
【００１８】
図１、図２などに示す実施形態の吐水装置１は、典型的には、住宅に設置される住宅設備機器としての洗面台２のベースとしてのカウンタ３上に設けられる。なお、本発明でいう住宅設備機器とは、勿論、住宅内に設置されて、この住宅の給水にかかる各種の給水機器などの設備機器をいい、具体的には、トイレ手洗、洗面化粧台、洗面台、浴室、キッチンなどをいう。洗面台２のカウンタ３に取り付けられたボウルの底部には、排水用の配管が接続している。また、本発明でいうベースとは、前述したトイレ手洗、洗面化粧台、洗面台、浴室、キッチンなどの住宅設備機器の吐水装置１の後述する吐水管４の基端１３ｂが取り付けられる部分をいう。ベースとは、例えば、トイレ手洗及び洗面化粧台では手洗器の平坦な外縁部などをいい、浴室では室内の壁面などをいい、キッチン及び洗面台２ではカウンタなどをいう。本実施形態では、カウンタ３は、厚手の平板状に形成されかつ吐水管４を取り付けるための取付孔７が貫通している。
【００１９】
吐水装置１は、図１、図２及び図３などに示すように、吐水管４と、弁としての電磁弁１０（図４に示す）と、検知センサ１１と、制御部としての制御装置１２（図４に示す）と、接続金具２９と、台座３０と、取付部材３１と、パッキン３２と、三角パッキン３３と、固定用ナット３４などを備えている。
【００２０】
吐水管４は、図３及び図４などに示すように、吐水管４の外殻を構成するカバー１３と、キャップ部材１４と、吐水部材１５とを備えている。カバー１３は、表面に鍍金などが施された金属で構成され、かつ先端１３ａと基端１３ｂ（吐水管の基端に相当）との双方に開口１６ａが設けられた筒状（本実施形態では、四角筒状）に形成されている。カバー１３は、断面における外形が真円とは異なる形状の筒状に形成されている。吐水管４は、外殻を構成する前述した構成のカバー１３を備えることで、断面における外形が真円とは異なる形状の筒状に形成されている。カバー１３は、基端１３ｂが洗面台２のカウンタ３に取り付けられ、かつ先端１３ａが洗面台２のボウルの底部と平行になるように、中央部が湾曲している。また、カバー１３のボウルの底部と相対する外周面１３ｃには、開口部１６ｂが設けられている。開口部１６ｂは、カバー１３の先端１３ａ寄りの箇所（先端部）に設けられ、かつ、外周面１３ｃを貫通しているとともに、平面形状が矩形状に形成されている。開口部１６ｂは、カバー１３の先端１３ａに設けられた開口１６ａと間隔をあけて設けられている。本実施形態では、開口部１６ｂと先端１３ａに設けられた開口１６ａとの間には、カバー１３を構成する壁の一部であるリブ１３ｄが設けられている。
【００２１】
キャップ部材１４は、金属で構成され、かつ塞ぎ部１７と被収容部１８とを一体に備えている。塞ぎ部１７は、開口１６ａの大きさと略等しい平板状に形成されている。塞ぎ部１７は、カバー１３の先端１３ａに密に接して、この先端１３ａ側の開口１６ａを塞ぐ。被収容部１８は、塞ぎ部１７がカバー１３の先端１３ａの開口１６ａを塞ぐと、カバー１３内に収容される。被収容部１８は、塞ぎ部１７の開口部１６ｂから離れた側の外縁からカバー１３の奥に向かって立設して、カバー１３の開口部１６ｂと相対する内面１３ｅ（図２に示す）に重ねられる。被収容部１８は、カバー１３の内面１３ｅにアーク溶接などの周知の溶接により固定されている。
【００２２】
また、キャップ部材１４の被収容部１８には、開口部１６ｂに相対するねじ孔が設けられている。本実施形態では、ねじ孔は、カバー１３の幅方向に互いに間隔をあけて二つ設けられている。
【００２３】
吐水部材１５は、合成樹脂で構成され、図２及び図４に示すように、開口部１６ｂの大きさと略等しい厚手の平板状に形成された部材本体２１と、ホース取付部２２とを一体に備えている。部材本体２１即ち吐水部材１５は、開口部１６ｂのカバー１３の基端１３ｂ寄りの縁１６ｃに密に接して、開口部１６ｂを塞ぐ格好で、ねじ２６（図４に示す）によりカバー１３に取り付けられる。部材本体２１の中央部には、丸形の吐水口２３が設けられているとともに、吐水口２３よりもカバー１３の先端１３ａ側に検知センサ１１を取り付けるための矩形状のセンサ取付孔２４が設けられている。吐水口２３とセンサ取付孔２４とは、部材本体２１を貫通している。吐水口２３には、吐水する水を整流するフィルタ２８が設けられている。
【００２４】
また、部材本体２１には、ねじ通し孔が設けられており、開口部１６ｂのカバー１３の基端１３ｂ寄りの縁１６ｃに密に接して、開口部１６ｂを塞ぐ格好に位置付けられると、ねじ通し孔は、ねじ孔に連通するようになっている。本実施形態では、ねじ通し孔は、部材本体２１即ち吐水部材１５の幅方向に間隔をあけて二つ設けられている。部材本体２１即ち吐水部材１５は、開口部１６ｂを塞ぐ格好に位置付けられた部材本体２１のねじ通し孔内を通されたねじ２６がねじ孔にねじ込まれることで、キャップ部材１４を介してカバー１３に取り付けられる。こうして、ねじ孔は、ねじ通し孔を通されたねじ２６がねじ込まれることで、キャップ部材１４に部材本体２１即ち吐水部材１５を固定する。なお、開口部１６ｂのカバー１３の基端１３ｂ寄りの縁１６ｃは、部材本体２１が密に接することで、ねじ通し孔がねじ孔と連通する位置に、部材本体２１を位置決めする。また、部材本体２１は、前述したように、カバー１３に取り付けられると、前述した開口部１６ｂの基端１３ｂ寄りの縁１６ｃとリブ１３ｄとの間に挟まれる。
【００２５】
ホース取付部２２は、吐水口２３の周りからカバー１３の内側に立設した円筒状に形成されている。ホース取付部２２は、その中央部がカバー１３の基端１３ｂに向かって屈曲している。ホース取付部２２には、給水管としてのホース２７が連結している。このため、吐水口２３とホース２７とは、ホース取付部２２を介して、互いに連通している。ホース２７は、可撓性を有し、かつ給水源としての上水道５から水が供給される。ホース２７は、部材本体２１即ち吐水部材１５がカバー１３に取り付けられると、カバー１３内に収容される。
【００２６】
前述した構成の吐水管４を組み立てる際には、吐水部材１５に検知センサ１１及びホース２７を取り付け、キャップ部材１４の被収容部１８をカバー１３の先端１３ａ側の開口１６ａ内に挿入する。そして、塞ぎ部１７をカバー１３の先端１３ａに密に接触させ、被収容部１８をカバー１３の内面１３ｅに重ねて、アーク溶接などの周知の溶接により、被収容部１８をカバー１３の内面１３ｅに溶接して固定する。
【００２７】
その後、ホース２７及び図示しないハーネスを開口部１６ｂを通してカバー１３内に挿入し、基端１３ｂ側の開口１６ａから取り出した後、吐水部材１５の部材本体２１を開口部１６ｂ内に挿入する。ねじ通し孔を通したねじ２６をねじ孔にねじ込んで、部材本体２１即ち吐水部材１５を、キャップ部材１４に固定し、キャップ部材１４を介してカバー１３に固定する。
【００２８】
電磁弁１０は、図４に示すように、ホース２７と、上水道５に接続した給水管６との間に設けられている。電磁弁１０は、給水管６とホース２７とに亘る即ち上水道５からホース２７に亘る流路を開閉自在である。
【００２９】
検知センサ１１は、図２及び図４に示すように、センサ取付孔２４を通して検知部１１ａが吐水管４の下方に露出する格好で、吐水部材１５の部材本体２１に取り付けられている。検知センサ１１は、周知の赤外線式、光電式などの検知センサを用いることができ、検知部１１ａの所定の検知エリア内に手などの人体の一部や各種の食器などの被検知物が侵入すると、この被検知物を検知する非接触式のセンサである。検知センサ１１は、吐水管４に近づいた手などの被検知物が検知エリアに位置付けられることを検知する。検知センサ１１は、検知した結果を制御装置１２に向かって出力する。なお、検知センサ１１と制御装置１２とを接続する図示しないハーネスは、カバー１３内に収容される。
【００３０】
制御装置１２は、図示しないＲＡＭ、ＲＯＭ、ＣＰＵ、入出力ポートなどを備えた演算装置である。制御装置１２の入力ポートには、少なくとも検知センサ１１が接続している。制御装置１２の出力ポートには、少なくとも電磁弁１０が接続している。制御装置１２は、検知センサ１１の検知情報に基づいて、吐水装置１全体の制御をつかさどる。制御装置１２は、被検知物が近付いたことを検知センサ１１が検知すると、電磁弁１０を開き、検知センサ１１が被検知物を検知しなくなると、電磁弁１０を閉じる。
【００３１】
接続金具２９は、金属で構成されている。接続金具２９は、図７、図８及び図９に示すように、侵入部３５と、侵入部３５に連なる固定部３６とを備えている。侵入部３５は、カバー１３と同様に外形が真円と異なる形状の筒状（本実施形態では、四角筒状）の侵入部本体３７と、この侵入部本体３７の一方の端を塞ぐ塞ぎ壁３８とを一体に備えている。侵入部本体３７即ち侵入部３５の外形は、吐水管４のカバー１３の基端１３ｂの内側の形状（内形に相当）と同形状に形成されている。本実施形態では、侵入部３５の侵入部本体３７の塞ぎ壁３８の平面形状は、矩形状に形成されている。塞ぎ壁３８には、固定部３６と連通する貫通孔３９が設けられている。
【００３２】
固定部３６は、塞ぎ壁３８の中央から立設した円筒状に形成されている。固定部３６の外周面には、雄ねじ４０が形成されている。固定部３６の外径Ｒ（図７〜図９に示す）は、カウンタ３に設けられた取付孔７の内径よりも小さく、かつ侵入部３５の短辺の幅（最小の幅に相当する）Ｈ１（図７及び図８に示す）よりも大きく形成されているとともに、侵入部３５の長辺の幅（最大の幅に相当する）Ｈ２（図７及び図９に示す）よりも小さく形成されている。このため、固定部３６の外縁部の一部３６ａは、固定部３６に設けられた当接部に相当し、侵入部３５の塞ぎ壁３８の外縁（侵入部３５の外縁に相当）３８ｂよりも外側に突出している。この侵入部３５の塞ぎ壁３８の外縁３８ｂよりも外側に突出した固定部３６の外縁部の一部３６ａは、図７及び図９に示すように、塞ぎ壁３８の表面３８ａよりも固定部３６寄りに設けられている。なお、本実施形態では、侵入部３５の塞ぎ壁３８の外縁３８ｂよりも外側に突出した固定部３６の外縁部の一部３６ａは、端面１３ｆに当接可能に、塞ぎ壁３８の表面３８ａと平行に平坦に形成されている。なお、塞ぎ壁３８のカバー１３外に露出する表面３８ａは、侵入部３５のカバー１３の外に露出する表面をなしている。固定部３６は、後述するように、取付部材３１や固定用ナット３４が取り付けられることで、ベースとしてのカウンタ３に吐水管４を固定するために用いられる。
【００３３】
接続金具２９は、図５及び図６に示すように、侵入部３５が吐水管４のカバー１３の基端１３ｂ内に挿入されて、塞ぎ壁３８の外縁３８ｂよりも外側に突出した固定部３６の外縁部の一部３６ａが基端１３ｂの端面１３ｆ（吐水管の端面に相当）に当接した状態で、侵入部３５の塞ぎ壁３８の外縁３８ｂと吐水管４のカバー１３の内面との間が全周に亘ってアーク溶接などにより溶接されて、吐水管４のカバー１３の基端１３ｂに取り付けられる。なお、侵入部３５の外形と吐水管４のカバー１３の基端１３ｂの内側の形状（内形に相当）とが同形状に形成されているので、侵入部３５が吐水管４のカバー１３の基端１３ｂ内に挿入されると、侵入部３５の侵入部本体３７の外周面と吐水管４のカバー１３の基端１３ｂの内周面とが互いに密に当接する。接続金具２９は、吐水管４のカバー１３の基端１３ｂに取り付けられると、塞ぎ壁３８の外縁３８ｂよりも外側に突出した固定部３６の外縁部の一部３６ａが塞ぎ壁３８の表面３８ａよりも固定部３６寄りに設けられているので、塞ぎ壁３８の表面３８ａが、カバー１３の基端１３ｂの端面１３ｆよりも吐水管４のカバー１３の奥に位置する。このために、本実施形態では、カバー１３の内面のうちの塞ぎ壁３８の表面３８ａよりも固定部３６寄りの箇所と侵入部３５の塞ぎ壁３８の外縁３８ｂとの間が全周に亘ってアーク溶接などにより溶接されている。このため、溶接により生じるビード４１は、図６に示すように、全周に亘ってカバー１３の内面のうちの塞ぎ壁３８の表面３８ａよりも固定部３６寄りの箇所と侵入部３５の塞ぎ壁３８の外縁３８ｂとの間即ち吐水管４のカバー１３内に形成されている。こうして、ビード４１は、カウンタ３と侵入部３５との間に位置することとなる。
【００３４】
また、接続金具２９は、吐水管４のカバー１３の基端１３ｂに取り付けられると、固定部３６が吐水管４のカバー１３の外に露出し、塞ぎ部３８の表面３８ａが吐水管４のカバー１３の基端１３ｂの開口１６ａを塞ぐ。なお、塞ぎ部３８の表面３８ａは、侵入部３５の表面をなしている。
【００３５】
台座３０は、表面に鍍金などが施された金属で構成され、かつ通し孔３０ａが設けられた円環状に形成されている。台座３０の内径は、接続金具２９の固定部３６の外径と略等しく形成されている。台座３０の外径は、取付孔７の内径よりも大きく形成されている。また、台座３０の内縁部には、台座３０の内周面と接続金具２９の固定部３６の外周面との間を水密に保つＯリング４３を収容するための切欠き４２が全周に亘って設けられている。台座３０は、通し孔３０ａ内に固定部３６を通して、表面上に端面１３ｆが重ねられるとともに、カウンタ３上に設けられる。
【００３６】
取付部材３１は、金属で構成され、円筒状に形成されている。取付部材３１の外径は、台座３０の内径よりも大きくかつ台座３０の外径よりも小さく形成されている。取付部材３１の一端部の内周面には、接続金具２９の固定部３６の外周面に形成された雄ねじ４０と螺合する雌ねじ４４が設けられている。取付部材３１の外周面には、雄ねじ４５が形成されている。取付部材３１は、一端部の内周面に形成された雌ねじ４４が接続金具２９の固定部３６の外周面に形成された雄ねじ４０に螺合することで、接続金具２９の固定部３６即ち吐水管４のカバー１３の基端１３ｂに取り付けられる。取付部材３１は、接続金具２９の固定部３６即ち吐水管４のカバー１３の基端１３ｂに取り付けられると、吐水管４のカバー１３の基端１３ｂの端面１３ｆとの間で台座３０を挟んで、台座３０を吐水管４のカバー１３に固定する。
【００３７】
パッキン３２と三角パッキン３３は、ゴムなどの弾性を有する合成樹脂で形成されている。パッキン３２は、円環状に形成されている。パッキン３２の内径は、取付部材３１の外径と略等しく形成され、パッキン３２の外径は、台座３０の外径よりも小さく形成されている。パッキン３２は、内側に取付部材３１を通して、端面１３ｆと取付部材３１とに挟まれた台座３０に重ねられて、カウンタ３と台座３０との間に設けられる。パッキン３２は、カウンタ３と台座３０との間を水密に保つ。
【００３８】
三角パッキン３３は、円環状に形成され、かつ外形が接頭円錐状に形成されている。三角パッキン３３の内径は、取付部材３１の外径と略等しく形成され、三角パッキン３３の外径は、カウンタ３に設けられた取付孔７の内径よりも大きく形成されている。三角パッキン３３は、外径が軸心方向に変化する傾斜面４６がパッキン３２に相対した状態で、内側に取付部材３１を通す。三角パッキン３３は、パッキン３２との間にカウンタ３を挟みこむ。これらのパッキン３２及び三角パッキン３３は、カウンタ３の取付孔７の内縁との間を水密に保つ。
【００３９】
固定用ナット３４は、取付部材３１の外周面に形成された雄ねじ４５にねじ込まれる。固定用ナット３４は、取付部材３１の外周面に形成された雄ねじ４５にねじ込まれると、三角パッキン３３をパッキン３２に向かって押圧する。また、固定用ナット３４と三角パッキン３３との間には、金属で構成されたワッシャ４７が設けられる。
【００４０】
前述した吐水装置１の吐水管４は、以下に示すように、洗面台２のベースとしてのカウンタ３に取り付けられる。まず、吐水管４のカバー１３の基端１３ｂに接続金具２９の侵入部３５が挿入されて、侵入部３５の塞ぎ壁３８の外縁３８ｂよりも外側に突出した固定部３６の外縁部の一部３６ａが、カバー１３の基端１３ｂの端面１３ｆに当接される。すると、接続金具２９の侵入部３５の塞ぎ壁３８の表面３８ａは、端面１３ｆよりもカバー１３の奥に位置する。そして、侵入部３５の外縁３８ｂとカバー１３の内面の前述した箇所との間を全周に亘って溶接する。こうして、侵入部３５の外縁３８ｂと吐水管４のカバー１３の内面との間を全周に亘って溶接して、吐水管４のカバー１３の基端１３ｂに接続金具２９を取り付ける。
【００４１】
そして、切欠き４２内にＯリング４３を収容した台座３０の通し孔３０ａに接続金具２９の固定部３６を通して、台座３０を吐水管４のカバー１３の基端１３ｂの端面１３ｆに重ねて、接続金具２９の固定部３６の外周面に形成された雄ねじ４０に、取付部材３１の一端部の内周面に形成された雌ねじ４４をねじ込む。すると、図５及び図６に示すように、吐水管４のカバー１３の基端１３ｂの端面１３ｆと取付部材３１との間に台座３０を挟みこんで、台座３０を吐水管４に固定する。
【００４２】
そして、取付部材３１を、パッキン３２内に通した後に、カウンタ３の上方から取付孔７に挿入して、パッキン３２、台座３０を順にカウンタ３に重ねる。そして、傾斜面４６がパッキン３２に相対した状態で三角パッキン３３内に取付部材３１を通した後、さらに、ワッシャ４７内に取付部材３１を通して、取付部材３１の外周面に形成された雄ねじ４５に固定用ナット３４をねじ込む。固定用ナット３４を吐水管４の基端１３ｂに向かってねじ込んで、ワッシャ４７を介して、三角パッキン３３をパッキン３２に向かって押圧して、パッキン３２及び三角パッキン３３を厚みが減少する方向に弾性変形させる。こうして、吐水管４即ち吐水装置１が、洗面台２のカウンタ３に取り付けられる。
【００４３】
前述した構成の吐水装置１は、検知センサ１１が被検知物を検知すると、制御装置１２が電磁弁１０を開き、吐水口２３から水を吐水させる。また、吐水装置１は、検知センサ１１が被検知物を検知しなくなると、制御装置１２が電磁弁１０を閉じ、吐水口２３からの水を止水する。
【００４４】
上記のように構成された吐水装置１では、接続金具２９の吐水管４の基端１３ｂに侵入する侵入部３５の外縁３８ｂと、吐水管４の基端１３ｂの内面との間を全周に亘って溶接して、吐水管４のカバー１３に接続金具２９を取り付けているために、吐水管４の基端１３ｂをカウンタ３に取り付けると、溶接によって生じるビード４１が、カウンタ３と侵入部３５との間に位置することとなる。このために、吐水管４をカウンタ３に取り付けると、前述したビード４１が外部に露出しなくなり、美観を損ねることを抑制できる。
【００４５】
また、吐水装置１では、侵入部３５の塞ぎ壁３８の表面３８ａが基端１３ｂの端面１３ｆよりも吐水管４のカバー１３の奥に位置するので、吐水管４に接続金具２９を取り付ける溶接によって生じるビード４１が吐水管４のカバー１３内に位置することとなる。このために、ビード４１を露出させることがないとともに、吐水管４とカウンタ３との間に隙間を生じ難くして、吐水管４をカウンタ３に取り付けることができる。よって、吐水装置１の美観を損ねることを確実に抑制できる。侵入部３５の侵入部本体３７の外形と吐水管４のカバー１３の基端１３ｂの内側の形状とが同形状に形成されて、これらの外内周面が互いに当接するので、接続金具２９を吐水管４のカバー１３に確実に固定することができる。
【００４６】
吐水装置１では、接続金具２９の断面円形の固定部３６の外径Ｒが、侵入部３５の短辺方向の幅Ｈ１よりも大きく形成されて、固定部３６の外縁部の一部３６ａが侵入部３５の外縁３８ｂよりも外側に突出している。このために、吐水管４の基端１３ｂに接続金具２９の侵入部３５を挿入すると、侵入部３５の外縁３８ｂよりも突出した固定部３６の外縁部の一部３６ａが、基端１３ｂの端面１３ｆに当接して、吐水管４と接続金具２９とを位置決めすることができる。したがって、吐水管４の基端１３ｂに接続金具２９を溶接し易くすることができる。
【００４７】
さらに、吐水装置１では、カウンタ３上に設けられる台座３０を接続金具２９の侵入部３５又は吐水管４の基端１３ｂの端面１３ｆとの間で挟んで固定する取付部材３１を備えているので、吐水装置１の美観を整える台座３０を吐水管４とカウンタ３との間に設ける際に、吐水管４をカウンタ３に取り付ける前に、予め、吐水管４に台座３０を取り付けておくことができる。よって、吐水管４をカウンタ３に容易に取り付けることができる。
【００４８】
また、台座３０と取付部材３１とを別体で構成するので、取付部材３１を接続金具２９の固定部３６に取り付ける際に、取付部材３１の取り付ける動作により台座３０と吐水管４とが強制的に相対的に移動して、台座３０の表面に吐水管４の基端１３ｂの端面１３ｆが摺れることを防止できる。したがって、台座３０の表面が傷つくことを抑制でき、美観を損ねることをより確実に抑制することができる。
【００４９】
前述した実施形態では、住宅設備機器としての洗面台２を示しているが、本発明では、洗面台２に限らず、種々の住宅設備機器に本発明の吐水装置１を用いて良い。即ち、本発明では、吐水装置１の吐水管４を、カウンタ３に限らず種々のベースに取り付けても良い。
【００５０】
また、前述した実施形態では、検知センサ１１を吐水部材１５に取り付けたが、本発明では、吐水部材１５に吐水口２３が設けられていれば、検知センサ１１を吐水部材１５に取り付けなくても良い。この場合、吐水管４と別体に検知センサ１１を設けても良く、検知センサ１１を設けない場合には、電磁弁１０の替わりにホース２７内の流路を開閉する弁としての手動操作弁を設ける。
【００５１】
さらに、前述した実施形態では、侵入部本体３７の外側に突出した接続金具２９の固定部３６の外縁部の一部３６ａを、侵入部３５の塞ぎ壁３８の表面３８ａよりも固定部３６寄りに設けたが、本発明では、これらの侵入部本体３７の外側に突出した接続金具２９の固定部３６の外縁部の一部３６ａと、侵入部３５の塞ぎ壁３８の表面３８ａとを同一面上に設けても良い。この場合、接続金具２９の侵入部３５の塞ぎ壁３８の表面３８ａが基端１３ｂの端面１３ｆと同一面上に位置する。即ち、接続金具２９の侵入部３５が基端１３ｂの端面１３ｆと同一面上に位置する。そして、侵入部３５の塞ぎ壁３８の外縁３８ｂと基端１３ｂの端面１３ｆとの間を例えば全周に亘って溶接する。この場合、溶接することで生じるビード４１が、基端１３ｂの端面１３ｆと塞ぎ壁３８の表面３８ａとの双方から突出する。そして、基端１３ｂの端面１３ｆが、台座３０とビード４１の高さ分間隔をあけた状態で、取付部材３１との間に台座３０を挟んで固定する。こうして、取付部材３１が、台座３０を端面１３ｆとの間に挟んで固定する。
【００５２】
また、前述した実施形態では、吐水管４のカバー１３を断面矩形の四角筒状に形成したが、本発明では、吐水管４のカバー１３を断面正方形の四角筒状に形成しても良く、楕円形の筒状に形成しても良い。要するに、本発明では、吐水管４のカバー１３を、断面が真円以外の筒状に形成すれば良い。本発明では、端面１３ｆに当接する当接部を、固定部３６に設ければ、外縁部の一部３６ａに限らず種々の構成としても良い。
【００５３】
なお、上述した本発明の実施形態に係る吐水装置１は、上述した実施形態に限定されず、特許請求の範囲に記載された範囲で種々の変更が可能である。
【符号の説明】
【００５４】
１  吐水装置
３  カウンタ（ベース）
４  吐水管
１３ｂ  基端
１３ｆ  端面
２９  接続金具
３０  台座
３０ａ  通し孔
３１  取付部材
３５  侵入部
３６  固定部
３６ａ  外縁部の一部（当接部）
３８ｂ  外縁（侵入部の外縁）
【図１】
0005912028.tif 000002
【図２】
0005912028.tif 000003
【図３】
0005912028.tif 000004
【図４】
0005912028.tif 000005
【図５】
0005912028.tif 000006
【図６】
0005912028.tif 000007
【図７】
0005912028.tif 000008
【図８】
0005912028.tif 000009
【図９】
0005912028.tif 000010